(57)【要約】【課題】省スペースで配置することができるトラップと、このトラップを備え、構成部材がコンパクトに配置された洗濯機とを提供すること。【解決手段】給水トラップ２４を、入口９０から流入する水が旋回流路９１において下方へ流れてから上方へ旋回し、出口９２において旋回中心に対して交差する方向へ流出するように構成する。これにより、入口９０と出口９２とが互いに近接し、入口９０に接続される入口側部材と出口９２に接続される出口側部材とを互いに近付けて配置することができる。また、本発明と異なり、入口９０の開口方向と出口９２の開口方向とが交差しない構成のトラップは、入口側部材および出口側部材の対向空間内に配置する必要があるが、本発明の給水トラップ２４は、入口９０の開口方向と出口９２の開口方向とが交差しているので、上述した対向空間以外の空きスペースを有効利用して配置することができる。【選択図】図９
2007313231.tif 000002
【特許請求の範囲】
【請求項１】
外殻をなす筐体と、
前記筐体内に配置され、内部に水を溜め、洗濯物を収容するための洗濯槽と、
水を流入させるための入口、前記入口から流入して下方へ流れる水を上方へ旋回させる旋回流路および、前記旋回流路で旋回された水を旋回中心に対して交差する方向に流出させるための出口を有し、前記出口が前記洗濯槽につながっているトラップと、
を備えていることを特徴とする洗濯機。
【請求項２】
前記筐体上方側部には、洗剤収容部が備えられ、前記洗剤収容部に前記入口が連通しており、
前記出口は、前記洗濯槽の一端面側に配置され、可撓性を有するホースを介して前記洗濯槽につながっており、
前記洗濯槽は、円筒状に形成され、
前記トラップおよび前記ホースは、前記筐体と前記洗濯槽の一端面との間、および、前記洗濯槽の周面の、前記ホースがつながる給水口が設けられる給水側周面と、前記筐体の、前記洗濯槽の径方向において前記給水側周面と対向する角部分との間に配置されていることを特徴とする請求項１記載の洗濯機。
【請求項３】
前記トラップの下端部は、それ以外の部分に比べて、前記洗濯槽の軸方向に薄いことを特徴とする請求項２記載の洗濯機。
【請求項４】
洗濯物を浄化するための気体を前記洗濯槽内に供給する気体供給装置を備え、
洗濯物を浄化するための気体が前記洗濯槽内に供給されている間は、前記トラップ内部に水が溜められていることを特徴とする請求項２または３記載の洗濯機。
【請求項５】
前記洗剤収容部に水を供給するための給水装置と、
前記給水装置を動作させて前記洗剤収容部に水を供給する実行手段と、
を備え、
前記実行手段は、洗濯物を浄化するための気体が前記洗濯槽内に供給される前に前記給水装置を動作させて前記洗剤収容部に水を供給することを特徴とする請求項２〜４のいずれかに記載の洗濯機。
【請求項６】
外殻をなす筐体と、
前記筐体内に配置され、内部に水を溜め、洗濯物を収容するための洗濯槽と、
前記洗濯槽内の水を排水するための排水路と、
前記排水路を流れる水を流入させるための入口と、前記入口から流入して下方へ流れる水を上方へ旋回させる旋回流路と、前記旋回流路で旋回された水を旋回中心に対して交差する方向に流出させるための出口と、を有するトラップと、
を備えていることを特徴とする洗濯機。
【請求項７】
水を流入させるための入口と、前記入口から流入して下方へ流れる水を上方へ旋回させる旋回流路と、前記旋回流路で旋回された水を旋回中心に対して交差する方向に流出させるための出口と、を有することを特徴とするトラップ。
【発明の詳細な説明】
【技術分野】
【０００１】
この発明は、洗濯機およびこの洗濯機に備えられるトラップに関する。
【背景技術】
【０００２】
従来より、洗剤収容部と洗濯槽との間をつなぐ給水経路にトラップ部を設けることにより、トラップ部に水を溜めて給水経路を水封し、乾燥行程において洗濯槽内で生じる高温多湿な空気が給水経路から洗剤収容部内に漏れて結露することと、この空気が洗剤収容部から機外へ漏れ出してしまうこととを防止するようにしたドラム式洗濯乾燥機が、特許文献１により提案されている。
【特許文献１】特開平１１−１１４２８６号公報
【発明の開示】
【発明が解決しようとする課題】
【０００３】
特許文献１に記載のドラム式洗濯乾燥機において、トラップ部が設けられた給水経路（以下、トラップと総称する。）は、洗剤収容部に接続される入口から下方へ延び、上下方向と交差する一方向側へ折れ曲がってから上方へ延び、そして上述した一方向側へさらに折れ曲がって下方へ延びた位置に形成される出口で洗濯槽に接続される構成となっている。つまり、このトラップでは、入口は上方向へ開口し、出口はトラップにおいて入口から最も離れた位置で下方向へ開口しているので、洗剤収容部および洗濯槽を、これらの対向空間内にトラップ全体を配置できるように上下方向に互いに離して配置しなければならない。これにより、ドラム式洗濯乾燥機全体の嵩が増える虞がある。逆に、洗剤収容部および洗濯槽を上下方向に隣接配置すると、上述した対向空間が小さくなるのでトラップを配置できなくなる虞がある。
【０００４】
また、トラップは、上述した給水経路を水封する役割とともに、給水時には水を洗濯槽へ流す役割があるので、その場合、水を円滑に流せることが望ましい。
このような背景のもとになされたこの発明は、省スペースで配置することができるトラップと、このトラップを備え、構成部材がコンパクトに配置された洗濯機とを提供することを主たる目的とする。
【０００５】
また、円滑に水を流すことができるトラップと、このトラップを備え、円滑に水を流すことができる洗濯機とを提供することを別の目的とする。
そして、洗濯槽から外部への空気の漏れを確実に防ぐことができる洗濯機を提供することをさらに別の目的とする。
【課題を解決するための手段】
【０００６】
請求項１記載の発明は、外殻をなす筐体と、前記筐体内に配置され、内部に水を溜め、洗濯物を収容するための洗濯槽と、水を流入させるための入口、前記入口から流入して下方へ流れる水を上方へ旋回させる旋回流路および、前記旋回流路で旋回された水を旋回中心に対して交差する方向に流出させるための出口を有し、前記出口が前記洗濯槽につながっているトラップと、を備えていることを特徴とする洗濯機である。
【０００７】
請求項２記載の発明は、前記筐体上方側部には、洗剤収容部が備えられ、前記洗剤収容部に前記入口が連通しており、前記出口は、前記洗濯槽の一端面側に配置され、可撓性を有するホースを介して前記洗濯槽につながっており、前記洗濯槽は、円筒状に形成され、前記トラップおよび前記ホースは、前記筐体と前記洗濯槽の一端面との間、および、前記洗濯槽の周面の、前記ホースがつながる給水口が設けられる給水側周面と、前記筐体の、前記洗濯槽の径方向において前記給水側周面と対向する角部分との間に配置されていることを特徴とする請求項１記載の洗濯機である。
【０００８】
請求項３記載の発明は、前記トラップの下端部は、それ以外の部分に比べて、前記洗濯槽の軸方向に薄いことを特徴とする請求項２記載の洗濯機である。
請求項４記載の発明は、洗濯物を浄化するための気体を前記洗濯槽内に供給する気体供給装置を備え、洗濯物を浄化するための気体が前記洗濯槽内に供給されている間は、前記トラップ内部に水が溜められていることを特徴とする請求項２または３記載の洗濯機である。
【０００９】
請求項５記載の発明は、前記洗剤収容部に水を供給するための給水装置と、前記給水装置を動作させて前記洗剤収容部に水を供給する実行手段と、を備え、前記実行手段は、洗濯物を浄化するための気体が前記洗濯槽内に供給される前に前記給水装置を動作させて前記洗剤収容部に水を供給することを特徴とする請求項２〜４のいずれかに記載の洗濯機である。
【００１０】
請求項６記載の発明は、外殻をなす筐体と、前記筐体内に配置され、内部に水を溜め、洗濯物を収容するための洗濯槽と、前記洗濯槽内の水を排水するための排水路と、前記排水路を流れる水を流入させるための入口と、前記入口から流入して下方へ流れる水を上方へ旋回させる旋回流路と、前記旋回流路で旋回された水を旋回中心に対して交差する方向に流出させるための出口と、を有するトラップと、を備えていることを特徴とする洗濯機である。
【００１１】
請求項７記載の発明は、水を流入させるための入口と、前記入口から流入して下方へ流れる水を上方へ旋回させる旋回流路と、前記旋回流路で旋回された水を旋回中心に対して交差する方向に流出させるための出口と、を有することを特徴とするトラップである。
【発明の効果】
【００１２】
請求項１記載の発明によれば、このトラップでは、旋回流路の、入口から流入して下方へ流れる水を上方へ旋回させる部分において水を溜めることができる。これにより、この水が溜められた部分において、入口と出口との間が水封されるので、出口につながった洗濯槽内の空気がトラップを介して筐体外部へ漏れ出すことを防止することができる。
また、このトラップは、入口から流入して下方へ流れる水を旋回流路で上方へ旋回させてから出口で流出させるので、入口と出口とが互いに近接している。そのため、入口に接続される部材（入口側部材）と出口に接続される洗濯槽（出口側部材）とを互いに近付けて配置することができる。
【００１３】
そして、このトラップでは、出口が、旋回流路で旋回された水を旋回中心に対して交差する方向に流出させるように、つまり、入口の開口方向と出口の開口方向とが交差するように構成されている。本発明と異なり、入口の開口方向と出口の開口方向とが交差しない構成（たとえば、入口の開口方向が上方向で出口の開口方向が下方向）であるトラップの場合、このトラップを入口側部材および出口側部材の対向空間内に配置する必要があるが、入口側部材および出口側部材を互いに近付けた場合、上述した対向空間が小さくなり、トラップを配置することができなくなる虞がある。しかし、本発明のトラップは、入口の開口方向と出口の開口方向とが交差しているので、上述した対向空間以外の空きスペースを有効利用して配置することができる。
【００１４】
これにより、このトラップは、省スペースで配置することができ、このトラップを備える洗濯機では、構成部材（入口側部材および出口側部材）をコンパクトに配置することができる。
さらに、入口より流入して出口へ向かう水は、旋回流路において旋回されるに伴い、入口で流入したときよりも流速が上昇する。そのため、このトラップでは円滑に水を流すことができ、たとえば洗剤の塊などの流れ難い物も、容易に出口へ流すことができる。
【００１５】
請求項２記載の発明によれば、トラップにおいて、入口は洗剤収容部に連通し、出口は、可撓性を有するホースを介して洗濯槽につながっている。可撓性を有するホースによって、洗濯運転時に洗濯槽に生じた振動がトラップ、洗剤収容部および筐体に伝達されることを防止することができる。
また、トラップの出口が洗濯槽の一端面側に配置されているので、出口が筐体側に配置される場合と比べて、出口と洗濯槽とをつなぐホースを短くすることができる。
【００１６】
そして、この洗濯機では、筐体と洗濯槽の一端面との間に形成される空きスペース、および、洗濯槽の周面の、ホースがつながる給水口が設けられる給水側周面と筐体の角部分との間に形成される空きスペースにトラップおよびホースを配置することで空きスペースの有効利用を図ることができるので、洗濯機をコンパクトに構成することができる。
請求項３記載の発明によれば、旋回流路において下方へ流れる水を上方へ旋回させる構造上、トラップの下端部は、洗濯槽の上述した一端面に接近するが、それ以外（トラップの下端部以外）の部分と比べて、洗濯槽の軸方向に薄いので、洗濯運転時の洗濯槽が、その軸方向や軸方向と交差する方向に振動しても、洗濯槽の一端面がトラップに接触する虞はない。また、トラップの、上述した薄い部分では、内部を流れる水の流路が狭められるので、この部分を流れる水の流速を上昇させることができ、このトラップでは一層円滑に水を流すことができる。
【００１７】
請求項４記載の発明によれば、気体供給装置が供給する気体により、洗濯槽内の洗濯物を浄化することができる。そして、この気体が洗濯槽内に供給されている間は、トラップ内部に水が溜められているので、トラップの入口と出口との間が水封され、この気体がトラップを介して洗濯槽内から外部へ漏れ出すことを確実に防止することができる。
請求項５記載の発明によれば、洗濯物を浄化するための気体が洗濯槽内に供給される前において、トラップ内部に水が溜められていないとしても、実行手段が給水手段を動作させて洗剤収容部に水を供給することによって、洗剤収容部と連通するトラップの内部に水が溜められる。これによりトラップの入口と出口との間が水封されるので、この気体の供給が開始されても、この気体がトラップを介して洗濯槽内から外部へ漏れ出すことを確実に防止することができる。
【００１８】
請求項６記載の発明によれば、このトラップでは、旋回流路の、入口から流入して下方へ流れる水を上方へ旋回させる部分において水を溜めることができる。これにより、この水が溜められた部分において、入口と出口との間を水封されるので、排水路を介して入口につながった洗濯槽内の空気がトラップを介して外部へ漏れ出すことを防止することができる。
【００１９】
また、このトラップは、入口から流入して下方へ流れる水を旋回流路で上方へ旋回させてから出口で流出させるので、入口と出口とが互いに近接している。そのため、入口に接続される部材（入口側部材）と出口に接続される部材（出口側部材）とを互いに近付けて配置することができる。
そして、このトラップでは、出口が、旋回流路で旋回された水を旋回中心に対して交差する方向に流出させるように、つまり、入口の開口方向と出口の開口方向とが交差するように構成されている。本発明と異なり、入口の開口方向と出口の開口方向とが交差しない構成（たとえば、入口の開口方向が上方向で出口の開口方向が下方向）であるトラップの場合、このトラップを入口側部材および出口側部材の対向空間内に配置する必要があるが、入口側部材および出口側部材を互いに近付けた場合、上述した対向空間が小さくなり、トラップを配置することができなくなる虞がある。しかし、本発明のトラップは、入口の開口方向と出口の開口方向とが交差しているので、上述した対向空間以外の空きスペースを有効利用して配置することができる。
【００２０】
これにより、このトラップは、省スペースで配置することができ、このトラップを備える洗濯機では、構成部材（入口側部材および出口側部材）をコンパクトに配置することができる。
さらに、入口より流入して出口へ向かう水は、旋回流路において旋回されるに伴い、入口で流入したときよりも流速が上昇する。そのため、このトラップでは円滑に水を流すことができ、たとえば排水路からトラップに到達した糸屑の塊などの流れ難い物も、容易に出口へ流すことができる。
【００２１】
請求項７記載の発明によれば、このトラップでは、旋回流路の、入口から流入して下方へ流れる水を上方へ旋回させる部分において水を溜めることができる。これにより、この水が溜められた部分において、入口と出口との間を水封されるので、入口側の空気が出口まで到達することと、出口側の空気が入口まで到達することとを防止することができる。
また、このトラップは、入口から流入して下方へ流れる水を旋回流路で上方へ旋回させてから出口で流出させるので、入口と出口とが互いに近接している。そのため、入口に接続される部材（入口側部材）と出口に接続される部材（出口側部材）とを互いに近付けて配置することができる。
【００２２】
そして、このトラップでは、出口が、旋回流路で旋回された水を旋回中心に対して交差する方向に流出させるように、つまり、入口の開口方向と出口の開口方向とが交差するように構成されている。本発明と異なり、入口の開口方向と出口の開口方向とが交差しない構成（たとえば、入口の開口方向が上方向で出口の開口方向が下方向）であるトラップの場合、このトラップを入口側部材および出口側部材の対向空間内に配置する必要があるが、入口側部材および出口側部材を互いに近付けた場合、上述した対向空間が小さくなり、トラップを配置することができなくなる虞がある。しかし、本発明のトラップは、入口の開口方向と出口の開口方向とが交差しているので、上述した対向空間以外の空きスペースを有効利用して配置することができる。
【００２３】
これにより、このトラップは、省スペースで配置することができる。
さらに、入口より流入して出口へ向かう水は、旋回流路において旋回されるに伴い、入口で流入したときよりも流速が上昇する。そのため、このトラップでは円滑に水を流すことができ、たとえば洗剤の塊や糸屑の塊などの流れ難い物も、容易に出口へ流すことができる。
【発明を実施するための最良の形態】
【００２４】
以下には、図面を参照して、この発明の実施形態について具体的に説明する。
＜ドラム式洗濯機の構成＞
図１は、この発明の一実施形態に係る洗濯機としての、いわゆるトップオープンタイプのドラム式洗濯機１の斜視図である。なお、ドラム式洗濯機１の姿勢については、図１の紙面右上に示した方向矢印に沿うものとする。図２は、ドラム式洗濯機１における要部を抜き出して後側上方かつ右側から見た斜視図である。図３は、図２に示したドラム式洗濯機１における要部の平面図である。図４は、ドラム式洗濯機１の縦断面図であって、左右方向に沿った鉛直面で切断したときの断面を前方から見た図を示している。また、図５Ａは、ドラム式洗濯機１の縦断面図であって、前後方向に沿った鉛直面で切断したときの断面を右側から見た図において、外蓋２Ａが開口４を閉じた態様を示しており、図５Ｂは、図５Ａにおいて、外蓋２Ａが開口４を開いた態様を示している。
（筐体）
図１に示すように、このドラム式洗濯機１は、その外殻を形成する筐体２により区画されている。筐体２の上壁は、前後方向略中央位置から前側下方へ緩やかに湾曲して前壁に連続するように側断面視で扇状に形成されている。筐体２の上壁の前後左右方向中央位置には、洗濯物を筐体２内に出し入れするための開口４が形成されている。開口４は、前後方向に長手の略矩形状に形成され、外蓋２Ａで開閉可能である。また、筐体２の上壁の、開口４が形成されている部分には、１対のガイドレール２１Ｌ、２１Ｒが開口４の左端縁および右端縁に沿って延設されており、外蓋２Ａは、ガイドレール２１Ｌ、２１Ｒに沿って前後方向にスライド自在となっている。
【００２５】
外蓋２Ａは、ばね３８（図５Ａ参照）によって開口４を開く方向、つまり後方へ付勢されており、このドラム式洗濯機１の運転中には、筐体２内（たとえば、開口４の前端部）に配置された外蓋ロック機構４９（図５Ａ参照）が外蓋２Ａに係合することにより、外蓋２Ａが閉じた状態でロックされるようになっている。
筐体２の上壁の、開口４よりも左側の部分の前後方向略中央位置には、洗濯に使用する洗剤を収容するための洗剤収容部８が配置されている。この洗剤収容部８は、以降にて詳説する。筐体２の上壁の、開口４よりも右側の部分には、このドラム式洗濯機１の運転に関する設定操作や各種表示等を行うための操作表示部６が配置されている。
【００２６】
操作表示部６には、上述した外蓋ロック機構４９（図５Ａ参照）の外蓋２Ａに対する係合を解除して外蓋２Ａを開く際に操作するための蓋開ボタン６Ａが備えられている。外蓋２Ａが閉じた状態で蓋開ボタン６Ａを押操作すると、外蓋ロック機構の外蓋２Ａに対する係合が解除され、ばね３８（図５Ａ参照）の付勢力によって外蓋２Ａが開口４の後方にスライドし、開口４が開かれる。外蓋２Ａの前端部には把持部２Ｃが形成されており、開口４が開かれた状態で、把持部２Ｃを把持して開口４の前方にスライドさせることにより、外蓋２Ａで開口４を閉じることができる。なお、開口４が開かれた状態において、把持部２Ｃが開口４の後端縁に当接することにより、外蓋２Ａの、それ以上後方へのスライドが規制される。
【００２７】
また、筐体２の上壁の開口４よりも後側部分の内側（下側）には、図２に示すように、左右方向に長手の略直方体形状であり、上面が開口された収容部１５が筐体２に対して一体的に設けられている。収容部１５の内部は、上端縁がガイドレール２１Ｌに連続するように形成された仕切壁１６Ｌと、上端縁がガイドレール２１Ｒに連続するように形成された仕切壁１６Ｒとによって、左から順に、第１室２７と第２室２８と第３室２９とに区画されている。上述したように、仕切壁１６Ｌがガイドレール２１Ｌに連続し、仕切壁１６Ｒがガイドレール２１Ｒに連続しているので、外蓋２Ａ（図１参照）のスライドは、ガイドレール２１Ｌ、２１Ｒに加えて、仕切壁１６Ｌ、１６Ｒの各上端縁によっても案内される。また、図５Ａおよび図５Ｂに示すように、外蓋２Ａは、開口４の開閉に係わらず、第２室２８の上方を常に塞ぐように配置されている。なお、図５Ｂに示すように、外蓋２Ａを開くと、外蓋２Ａの、第２室２８の上方を塞いでいる部分以外は、収容部１５の下方において筐体２の後側壁に沿って収容される。
【００２８】
図２に示すように、第１室２７には、水道水給水バルブ２Ｂが配置され、第３室２９には、風呂水ポンプ２Ｄが配置されている。水道水給水バルブ２Ｂおよび風呂水ポンプ２Ｄは、それぞれ上部に給水口が形成されており、図１に示すように、各給水口が筐体２の上壁において対応する位置から外部に露出されている。そのため、水道水給水バルブ２Ｂと外部の給水設備（水道栓など）とを図示しない給水ホースで接続することにより、機内に水道水を供給することができ、同様に、風呂水ポンプ２Ｄに、浴槽に漬けた図示しない給水ホースを接続することにより、機内に風呂水を供給することができる。
【００２９】
また、水道水給水バルブ２Ｂは、後述する洗剤用バルブ５５（図１４参照）と、後述する仕上剤用バルブ５６（図１４参照）と、後述する除湿水バルブ１４（図１４参照）とがユニット化された３連バルブである。
洗剤用バルブ５５（図１４参照）および仕上剤用バルブ５６（図１４参照）は、給水装置として機能し、洗剤収容部８の後述する洗剤用水道水流入口５１１（図６参照）および仕上剤用水道水流入口５１２（図６参照）に、たとえば、ゴムパッキンなどを介してそれぞれ接続されているため、これらのバルブを開くことによって、洗剤収容部８内に水道水を供給することができる。
【００３０】
また、除湿水バルブ１４（図１４参照）は、一端が後述する除湿水供給口３６（図１３参照）に接続されている供給管３９（図１１参照）の他端に接続されているため、除湿水バルブ１４を開くことによって、後述する風路部材３１（図１１参照）内に水道水を供給することができる。
一方、風呂水ポンプ２Ｄは、一端が洗剤収容部８の後述する風呂水流入口５１３（図６参照）に接続されている図示しない風呂水供給ホースの他端に接続されているため、風呂水ポンプ２Ｄを駆動させることによって、洗剤収容部８内に風呂水を供給することができる。
（洗剤収容部）
図６は、洗剤容器収容室８１に洗剤容器８０を装着した状態での右側断面図であり、図７は、注水ユニット８２を構成する部材の左側斜視図であり、図８は、図６のＡ−Ａ矢視図である。なお、図６では、説明の便宜上、円筒部４３１およびキャップ４３２も断面で示している。
【００３１】
洗剤収容部８は、図６に示すように、粉末洗剤、液体洗剤、液体漂白剤および仕上剤が収められる洗剤容器８０と、筺体２と一体的に形成され、洗剤容器８０が着脱自在に収容される洗剤容器収容室８１と、筺体２に備えられ、洗剤容器８０に水を供給するための注水ユニット８２と、洗剤容器８０が収容された洗剤容器収容室８１の上部を塞ぐ洗剤蓋９４とを備えている。
【００３２】
洗剤容器収容室８１は、前後方向に延伸し底壁が後方に向かって下傾斜した凹状に形成されている。この洗剤容器収容室８１の後壁の下端には流出口８１Ａが設けられ、流出口８１Ａは機内側に接続されている。
注水ユニット８２は、洗剤容器収容室８１の左側壁に配置されており、前後方向に長手で薄板状の主部材８２Ａおよび副部材８２Ｂを左右方向に対向させて貼り合わせた構造を有し、その２つの部材８２Ａと８２Ｂとの間に中空の通水路が形成されている。
【００３３】
具体的には、右側に位置する主部材８２Ａの内側には、図７に示すように、通水路を形成するためのリブが複雑に形成されている。これにより、注水ユニット８２内部には、主部材８２Ａの後端部にて開口される洗剤用水道水流入口５１１に連通する洗剤用水道水通水路５２１と、洗剤用水道水流入口５１１の後方斜め上側で開口される風呂水流入口５１３に連通する風呂水通水路５２３と、洗剤用水道水流入口５１１の前側で開口される仕上剤用水道水流入口５１２に連通する仕上剤用水道水通水路５２２とが形成されている。そして、洗剤用水道水通水路５２１には水の流れに沿って第１吐水口５３４と第２吐水口５３１とが順に設けられている。また、洗剤用水道水通水路５２１において、水の流れ方向における末端に補助吐水口５３６が設けられている。風呂水通水路５２３には水の流れに沿って、第３吐水口５３３と第４吐水口５３２とが順に設けられている。仕上剤用水道水通水路５２２には、水の流れ方向における末端に第５吐水口５３５が設けられている。第５吐水口５３５は、仕上剤用水道水通水路５２２の下端縁に沿って配置される２つの下側吐水口５３５Ａと下側吐水口５３５Ａよりも上方に配置される上側吐水口５３５Ｂとで構成されている。
【００３４】
洗剤用水道水流入口５１１および仕上剤用水道水流入口５１２は、上述したように、洗剤用バルブ５５（図１４参照）および仕上剤用バルブ５６（図１４参照）がそれぞれ接続されている。そのため、これらのバルブを適宜開閉することによって水道水給水バルブ２Ｂからの水道水を洗剤用水道水流入口５１１および仕上剤用水道水流入口５１２に対して選択的に供給することができる。また、風呂水流入口５１３は、上述した風呂水供給ホースを介して風呂水ポンプ２Ｄに接続されている。風呂水ポンプ２Ｄを駆動することにより、風呂水を風呂水流入口５１３に対して供給することができる。
【００３５】
図６に示すように、洗剤容器８０は、前後方向に長手で上部が開口されたボックス状に形成されており、その内部は、前から、粉末洗剤を収容するための粉末洗剤収容部８５と、液体洗剤や液体漂白剤（洗濯時に洗剤と同時に投入される液剤）を収容するための液体洗剤収容部８６と、柔軟仕上剤（最終すすぎ時に投入される液剤）を収容するための仕上剤収容部８７とに区画されている。
【００３６】
粉末洗剤収容部８５の左側壁には、第２吐水口５３１および第４吐水口５３２のそれぞれに対応する開口部が形成されており、粉末洗剤収容部８５内部と洗剤用水道水通水路５２１および風呂水通水路５２３とは連通状態にある。そのため、洗剤用水道水通水路５２１からの水道水または風呂水通水路５２３からの風呂水を粉末洗剤収容部８５内に供給することができる。一方、補助吐水口５３６は、粉末洗剤収容部８５内部ではなく、洗剤容器収容室８１の前端において、その内部に連通している。
【００３７】
粉末洗剤収容部８５の底壁は後方に向かって緩やかに下傾しており、その後壁下部には、洗剤流出口４１２が開口している。この粉末洗剤収容部８５内に粉末洗剤が収容され、水道水または風呂水が流入すると、流入した水の流れに伴って粉末洗剤は洗剤流出口４１２を介して洗剤容器収容室８１に流出する。
液体洗剤収容部８６の左側壁には、第１吐水口５３４および第３吐水口５３３のそれぞれに対応する開口部が形成されており、液体洗剤収容部８６内部と洗剤用水道水通水路５２１および風呂水通水路５２３とは連通状態にある。そのため、洗剤用水道水通水路５２１からの水道水または風呂水通水路５２３からの風呂水を液体洗剤収容部８６内に供給することができる。
【００３８】
仕上剤収容部８７の左側壁には、上側吐水口５３５Ｂに対応する開口部が形成されており、仕上剤収容部８７内部と仕上剤用水道水通水路５２２とは連通状態にある。そのため、仕上剤用水道水通水路５２２からの水道水を仕上剤収容部８７内に供給することができる。一方、下側吐水口５３５Ａは、仕上剤収容部８７内部ではなく、洗剤容器収容室８１内部に連通している。そのため、図８に示すように、仕上剤用水道水通水路５２２からの水道水の内の一部は、下側吐水口５３５Ａから洗剤容器収容室８１内部に直接供給される。
【００３９】
また、図６に示すように、液体洗剤収容部８６および仕上剤収容部８７の底壁には中央が上下に貫通した円筒部４２１、４３１がそれぞれ立設され、この円筒部４２１、４３１にはその基底部を残して上部を覆う円筒状のキャップ４２２、４３２が被せられている。このキャップ４２２、４３２の内周側壁面と円筒部４２１、４３１の外周側壁面との間には狭い隙間がそれぞれ形成され、この隙間と円筒部４２１、４３１の貫通孔を介して液体洗剤収容部８６内部および仕上剤収容部８７内部と洗剤容器収容室８１内部とがそれぞれ連通している。これにより、液体洗剤収容部８６に所定水位以上の水が溜まると、サイホン作用によって液体洗剤収容部８６内の水は液体洗剤を伴って下方、つまり洗剤容器収容室８１内に流出する。同様に、仕上剤収容部８７に所定水位以上の水が溜まると、サイホン作用によって仕上剤収容部８７内の水は仕上剤を伴って洗剤容器収容室８１内に流出する。
【００４０】
なお、液体洗剤の場合には洗剤容器収容室８１の流出口８１Ａからの流出がスムーズであるが、粉末洗剤の場合には、洗剤容器収容室８１に落ちた粉末洗剤が溶解せずに洗剤容器収容室８１の底壁上に残りがちである。こうした場合に、上述した補助吐水口５３６からの水が洗剤容器収容室８１の前端部に供給されて、その前端部から流出口８１Ａへ流れることにより、洗剤容器収容室８１の底壁上に残留した粉末洗剤を流出口８１Ａから円滑に流出させることができる。
（外槽およびドラム）
図４に示すように、筐体２内には、詳しくは収容部１５（図２参照）よりも下方位置において、外槽７が収容されている。外槽７は、周面としての略円筒状の周面壁７Ａの両端面が端面壁（左端面壁７Ｌおよび右端面壁７Ｒ）で閉塞されることにより液密的かつ空密的に形成されており、その軸線が左右（略水平）に延びるように配置されている。外槽７は、その周面壁７Ａの下部を複数のダンパ５（図５Ａ参照）により支持されている。
【００４１】
外槽７の内部には、洗濯物を内部に収容するためのドラム１０が配置されている。ドラム１０は、略円筒状の周面壁１０Ｃの両端面が端面壁（左端面壁１０Ｌおよび右端面壁１０Ｒ）で閉塞されることにより形成されており、その軸線が左右（略水平）に延びるように配置されている。なお、外槽７およびドラム１０が洗濯槽として機能する。
ドラム１０の左右端面壁１０Ｌ、１０Ｒには、それぞれ、ドラム１０の軸線に沿って延びる回転軸１１Ｌ、１１Ｒが取り付けられている。各回転軸１１Ｌ、１１Ｒは、外槽７の左右端面壁７Ｌ、７Ｒに対して回転可能に取り付けられている。左側の回転軸１１Ｌには、いわゆるＤＤ（ダイレクトドライブ）方式でドラム駆動用のモータ１２が連結されていて、このモータ１２が回転駆動されることにより、回転軸１１Ｌに連結されたドラム１０が軸線回りに同じ回転速度で回転するようになっている。ドラム１０の周面壁１０Ｃの内面には、ドラム１０の回転時にドラム１０内の洗濯物を持ち上げるための３つのバッフル１０Ｂが、周面壁１０Ｃの周方向に互いに等間隔を空けて（たとえば、１２０°ごとに）、それぞれ左右方向に延びるように突設されている。
【００４２】
図５Ａに示すように、ドラム１０の周面壁１０Ｃの一部には、洗濯物の出し入れのための開口２２が形成されている。外槽７の周面壁７Ａには、筐体２の開口４に対向する位置に開口２３が形成されている。
ドラム１０の開口２２は、外側に向かって回動可能なドラム蓋２５により開閉できるようになっており、外槽７の開口２３は、外側に向かって回動可能な中蓋２６により開閉できるようになっている。外蓋２Ａ、中蓋２６およびドラム蓋２５をすべて開くことにより、筐体２の開口４、外槽７の開口２３およびドラム１０の開口２２を介してドラム１０に対して洗濯物の出し入れを行うことができる。
【００４３】
なお、ドラム１０に対して洗濯物の出し入れを行う際には、ドラム１０の開口２２が外槽７の開口２３に対向する位置になければ、ドラム蓋２５を開けることができない。そこで、図４に示すように、外槽７の左端面壁７Ｌの下部には、ドラム式洗濯機１の運転停止中などにモータ１２に係合して、ドラム１０の回転位置を、ドラム１０の開口２２（図５Ａ参照）が外槽７の開口２３（図５Ａ参照）に対向する位置に固定するためのドラム位置固定装置９が取り付けられている。
【００４４】
図５Ａに示すように、外槽７の周面壁７Ａの後端部の上側部分には、洗剤収容部８内に連通するホースとしての給水ホース１７が接続されている。水道水給水バルブ２Ｂ（図１参照）の洗剤用バルブ５５（図１４参照）および仕上剤用バルブ５６（図１４参照）を選択的に開くことにより、または風呂水ポンプ２Ｄ（図１参照）を駆動させることにより、水道水または風呂水（以下、総称するときは「水」と呼ぶ。）が、洗剤収容部８（図１参照）および給水ホース１７を介して外槽７内に供給される。給水ホース１７は、例えば、可撓性を有する蛇腹ホースであり、外槽７内への給水の役割に加えて、ドラム１０の回転時に外槽７に生じた振動が洗剤収容部８および筐体２に伝達されることを防止することもできる。給水ホース１７は、図２に示すように、外槽７においては、周面壁７Ａに設けられた給水口としての外槽給水口８８に接続されている。なお、この周面壁７Ａにおいて、外槽給水口８８が設けられている部分を含み、筺体２の後側壁および上側壁（収容部１５）に最も隣接する各部分の間の領域（図示斜線部分、図５Ａにおいては破線矢印参照）を、以降では給水側周面８９と呼ぶ。
【００４５】
給水ホース１７と洗剤収容部８との間には、トラップとしての給水トラップ２４が介在されている。給水トラップ２４は、洗剤収容部８から給水ホース１７へ流れる水を一時的に溜め、この水により洗剤収容部８と給水ホース１７との間を遮断して、外槽７内の空気が外部と流通するのを防止するものであり、以降にて詳説する。また、給水ホース１７により、上述した洗剤収容部８および筐体２と同様に、給水トラップ２４に外槽７の振動が伝達されることも防止される。
【００４６】
図４に示すように、外槽７の周面壁７Ａの右側下部には、排水口１９が形成されている。この排水口１９に連設された排水バルブ１８を閉じた状態で給水を行うことにより、外槽７内に水を溜めることができる。ドラム１０の周面壁１０Ｃには、開口２２を除くほぼ全周にわたって多数の通水孔１０Ａが形成されており、外槽７内に供給された水は、通水孔１０Ａを通ってドラム１０内にも流入するようになっている。外槽７内に溜まった水は、排水バルブ１８を開くことにより、排水口１９および排水ホース２０を介して機外に排出される。排水ホース２０の途中には溢水管３７（図２参照）の一端が接続されている。なお、排水ホース２０および溢水管３７が排水路として機能する。溢水管３７の他端は、図２に示すように、所定の高さの位置において外槽７の右端面壁７Ｒに接続されており、外槽７内に所定水位以上に水が溜められる場合に、その超過した分の水は、溢水管３７および排水ホース２０（図４参照）を介して強制的に機外へ排水される。溢水管３７と排水ホース２０（図４参照）との間には、排水トラップ４５が介在されている。排水トラップ４５は、下方に向かって折れ曲がるＶ字状に形成されており、このＶ字状の部分（Ｖ字部９５）に、溢水管３７および／または排水ホース２０（図４参照）を流れる水を一時的に溜め、この水により、溢水管３７および／または排水ホース２０を介して外槽７内の空気が外部と流通するのを防止するものである。
（給水トラップ）
図９は、給水トラップ２４を前側上方かつ右側から見た斜視図である。図１０は、給水トラップ２４を前側上方かつ左側から見た斜視図であって、内部を露出させたものである。図１１は、給水トラップ２４の配置位置を説明するための、ドラム式洗濯機１の後側面図であって、筐体２の後壁を省略したものである。
【００４７】
図９に示すように、給水トラップ２４は、前側へ向けて開口された中空円筒状の入口９０と、入口９０から後側へ延び、湾曲して下方へ延びてから前側上方へ旋回するように、つまり左側面視が略６字状（アラビア数字の「６」の形状：図１０参照）に折り曲げられた角管からなる旋回流路９１と、旋回流路９１の、上述した上方へ旋回した部分の上端部に接続され、右側へ向けて開口された中空円筒状の出口９２とで一体的に構成されている。入口９０は、洗剤収容部８の洗剤容器収容室８１の流出口８１Ａ（図６参照）に接続されており、出口９２は、上述した給水ホース１７（図２参照）の一端部に接続されている。また、旋回流路９１は、図１１に示すように、左側壁が筐体２の左側壁に沿って上下方向に平行となるように、かつ、右側壁が下方へ向かうにつれて左側へ傾斜するように形成されている。
【００４８】
この給水トラップ２４では、図１０に示すように、旋回流路９１の、上述した上方へ旋回した部分（図示斜線部分）である滞留部１００に、洗剤容器収容室８１から流出した水を溜めることができる。これにより、滞留部１００に溜められた水によって、入口９０と出口９２との間が水封されるので、出口９２と給水ホース１７を介して接続される外槽７内の空気が入口９０から洗剤収容部８に至って筐体２から外部へ漏れ出すことを防止することができる。逆に、洗剤収容部８における外部の空気が出口９２から外槽７内に流れ込むことも防止される。
【００４９】
そして、この給水トラップ２４では、入口９０から流入する水を、旋回流路９１において下方へ流してから上方へ旋回させ、出口９２において、旋回流路９１での水の旋回中心に対して交差する方向、つまり右側へ流出させることができる。このような構成によると、入口９０と出口９２とが互いに近接しているので、図５Ａに示すように、入口９０に接続される洗剤収容部８と出口９２に給水ホース１７を介して接続される外槽７とを互いに近付けて配置することができる。
【００５０】
また、図１０に示すように、この給水トラップ２４では、入口９０より流入した水は、旋回流路９１において旋回されると出口９２では渦を巻きながら流出する。これにより、入口９０より出口９２へ向かう水は、旋回流路９１において旋回されるに伴い、入口９０で流入したときよりも流速が上昇する。そのため、この給水トラップ２４では、円滑に水を流すことができ、たとえば洗剤収容部８から入口９０に到達した粉末洗剤の塊などの流れ難いものも、容易に出口９２へ流すことができる。この旋回流路９１は、上述したように、右側壁が下方へ向かうにつれて左側へ傾斜するように、つまり左右方向に薄くなるように形成されている。そのため、旋回流路９１の下部分での水の流路が狭められるので、この部分を流れる水の流速をさらに上昇させることができ、この給水トラップ２４では、一層円滑に水を流すことができる。これにより、洗い行程などにおける外槽７への通常の給水時においては、たとえば、毎分２０Ｌといった一定量の水を洗剤収容部８から外槽７へ供給することができるので、洗剤収容部８の洗剤容器収容室８１内での水の水位も一定に保たれ、水が洗剤容器収容室８１から溢れ出す虞は無い。
【００５１】
この給水トラップ２４は、図１１に示すように、旋回流路９１の左側端部が、背面視で筺体２の左側壁と外槽７の一端面となる左端面壁７Ｌとの間に位置するように（詳しくは、旋回流路９１の左側端部は左端面壁７Ｌと左右方向に対向しない）、かつ、それ以外の部分が、図２および図５Ａに示すように、筺体２の上側壁（収容部１５）および後側壁で形成される角部分９３と給水側周面８９との対向空間内に位置するように配置されている。また、この対向空間内には、給水ホース１７も配置されている。上述したように、洗剤収容部８と外槽７とは互いに近付けて配置されているので、洗剤収容部８と外槽７との上下方向の対向空間は小さい。たとえば、給水トラップ２４が、入口９０の開口方向が上方向であり、出口９２の開口方向が下方向、つまり、入口９０の開口方向と出口９２の開口方向とが交差しない構成の場合、この給水トラップを上述した上下方向の対向空間内に配置しなければならないが、この対向空間が小さいと、この給水トラップの配置が不可能になる虞がある。しかしながら、本発明の給水トラップ２４では、上述したように、出口９２の開口方向は右方向であり、入口９０の開口方向は前方向であることから、入口９０の開口方向と出口９２の開口方向とは交差している。そのため、上述した上下方向の対向空間でなく、上述した筺体２の左側壁と外槽７の左端面壁７Ｌとの間に形成される空きスペース、および、給水側周面８９と角部分９３との間に形成される空きスペースに給水トラップ２４および給水ホース１７を配置することで、これらの空きスペースの有効利用を図ることができる。これにより、この給水トラップ２４は、省スペースで配置することができ、この給水トラップ２４を備えるドラム式洗濯機１は、洗剤収容部８および外槽７といった構成部材をコンパクトに配置することができる。
【００５２】
また、給水トラップ２４が上述した位置に配置されている状態において、旋回流路９１の左側端部の下端部は、図１１に示すように、外槽７の左端面壁７Ｌに接近している。旋回流路９１は、上述したように、その右側壁が下方へ向かうにつれて左側へ傾斜するように、つまり左右方向に薄くなるように形成されているので、洗濯運転時に外槽７が左右方向（外槽７の軸方向）や前後方向（外槽７の軸方向と交差する方向）に振動しても、外槽７の左端面壁７Ｌが旋回流路９１に接触する虞はない。
【００５３】
そして、給水トラップ２４の出口９２は、左端面壁７Ｌ側つまり右側に配置されているので、筐体２の左側壁側つまり左側に配置される場合と比べて、出口９２と外槽給水口８８とをつなぐ給水ホース１７を短くすることができる。
（乾燥ユニット）
図４に示すように、このドラム式洗濯機１は、洗濯物を乾燥させるための乾燥行程を実行可能であって、外槽７の右端面壁７Ｒには、乾燥機能のための乾燥ユニット３が外側から取り付けられている。
【００５４】
図１２は、外槽７、乾燥ユニット３および周辺部品を後側上方かつ右側から見た斜視図であり、図１３は、図１２に示した外槽７、乾燥ユニット３および周辺部品の右側面図である。
図１２に示すように、乾燥ユニット３は、外槽７内の空気を吸い込んで上方へ導くための風路部材３１と、風路部材３１からの空気を外槽７内へ向けて送り込むためのファン３２と、ファン３２から送り込まれた空気を外槽７内に導くための誘導フード３３と、外槽７内に送り込む空気を温めるための１対のヒータ３４Ａおよび３４Ｂ（図１３参照）とを備えている。風路部材３１および誘導フード３３が、内部を流れる空気、つまり風を外槽７内へ導き入れるための風路として機能する。この風路の途中に配置される構成となるファン３２は、その略上半分部分が収容部１５の第２室２８内（図３参照）に収容されるように、風路部材３１の上部に配置されており、ブロワモータ３５により回転駆動される。また、ヒータ３４Ａおよび３４Ｂ（図１３参照）は、誘導フード３３内において左右に並べて配置されている。
【００５５】
図４に示すように、外槽７の周面壁７Ａの後側下部には、たとえばその左右方向略中央部に、正面視が略矩形状の排気口７１が形成されている。風路部材３１の下端部には吸込口３０（図１３参照）が形成されており、排気口７１と吸込口３０（図１３参照）とは、左右方向に延びる接続管７２により接続されており、風路部材３１内と外槽７内とは連通状態にある。そこで、ファン３２（図１２参照）を回転駆動させると、風が流れる方向に見てファン３２よりも上流側に位置する風路部材３１内は負圧となるので、外槽７内の空気を、排気口７１および接続管７２を介して乾燥ユニット３内（風路部材３１内）に取り込むことができる。
【００５６】
外槽７の右端面壁７Ｒの中央部には、開口７Ｂが形成されており、誘導フード３３（図１３参照）の下端部には吹出口４１（図１３参照）が形成されており、吹出口４１と外槽７の開口７Ｂとは連通しているため、誘導フード３３（図１３参照）内と外槽７内とは連通状態にある。これにより、図１２に示すように、外槽７内から風路部材３１内に取り込んだ空気を、ファン３２で誘導フード３３内に送り込み、さらに吹出口４１から外槽７内に吹き出すことにより、風路部材３１、ファン３２および誘導フード３３、つまり乾燥ユニット３と、外槽７とで形成される循環風路内で風を循環させることができる。また、図４に示すように、ドラム１０の右端面壁１０Ｒの中央部には、外槽７の開口７Ｂに対向する位置に、開口１０Ｄが形成されているので、循環風路内を循環する風はドラム１０内の洗濯物にも供給される。
【００５７】
たとえば乾燥行程時には、循環風路内を循環する風をヒータ３４で加熱して、吹出口４１から外槽７およびドラム１０の各開口７Ｂおよび１０Ｄを介してドラム１０内に送りつつ、ドラム１０を回転させる。これにより、ドラム１０内の洗濯物をバッフル１０Ｂによって持ち上げ、ある程度の高さから自然落下させるといった動作が繰り返されるので、加熱された風を洗濯物に満遍なく吹きつけることができ、洗濯物を良好に乾燥させることができる。
【００５８】
なお、図１３に示す１対のヒータ３４（ヒータ３４Ａおよび３４Ｂ）のうち一方のヒータにのみ通電を行うことにより、ヒータ３４を「弱」（たとえば、約７００Ｗ）で駆動して比較的低温の風をドラム１０内に供給することができ、両方のヒータに通電を行うことにより、ヒータ３４を「強」（たとえば、約１４００Ｗ）で駆動して比較的高温の風をドラム１０内に供給することができるようになっている。また、ヒータ３４Ａおよび３４Ｂの両方に通電を行い、そのうちの一方のヒータを流れる交流電流に対して半波制御（半周期おきの交流電流を用いてヒータを駆動する制御）を行うことにより、ヒータ３４を「中」（たとえば、約１０００Ｗ）で駆動して、「弱」と「強」との中間の温度の風をドラム１０内に供給することもできる。
【００５９】
図１２に示すように、風路部材３１は、下端部に上述した吸込口３０が形成され、外槽７の右端面壁７Ｒに沿ってその下端部から上部まで延びる第１風路部材３１１と、この第１風路部材３１１の上端部に連設され、外槽７の周面壁７Ａに対向するように、左方に向かって張り出した第２風路部材３１２とが一体的に形成されることにより構成されている。第１風路部材３１１は、左右方向の厚みの方が前後方向の厚みよりも小さい扁平形状を有している。一方、第２風路部材３１２は、前後方向の厚みの方が左右方向の厚みよりも小さい扁平形状を有している。
【００６０】
図１３に示すように、第１風路部材３１１の左側面壁には、第２風路部材３１２との結合部よりもやや低い位置に、第１風路部材３１１内に水を供給するための除湿水供給口３６が形成されている。除湿水供給口３６には、その外側から供給管３９（図１１参照）の一端が接続されていて、この供給管３９（図１１参照）の他端に接続されている除湿水バルブ１４（図１４参照）が開かれることにより、供給管３９（図１１参照）および除湿水供給口３６を介して所定量（たとえば、毎分約０．５リットル）の冷却水（水道水）が第１風路部材３１１内に流れ込むようになっている。乾燥行程時には、除湿水バルブ１４（図１４参照）が開かれることにより除湿水供給口３６から第１風路部材３１１内に冷却水が供給され、第１風路部材３１１は、洗濯物から出る水分（水蒸気）を含んだ風を冷却してその水蒸気を凝縮液化させるための熱交換部として機能する。
（オゾン発生装置）
このドラム式洗濯機１には、図１２に示すように、洗濯物を浄化するための気体の一例として、気体供給装置としてオゾンを発生するオゾン発生装置４２と、オゾン発生装置４２と風路部材３１とを連通させてオゾン発生装置４２が発生したオゾンを風路部材３１内に導くための導入管４３とが備えられている。なお、気体を用いた洗濯物の浄化には、洗浄、消臭、除菌または芳香（心地の良い匂いを洗濯物につける）などが挙げられる。
【００６１】
オゾン発生装置４２は、図２に示すように、筐体２の収容部１５における第２室２８内に収容されている。詳しく、オゾン発生装置４２は、仕切壁１６Ｌを挟んで水道水給水バルブ２Ｂに隣接し、第２室２８内において、ファン３２に対して、その左側で隣接配置されている。また、オゾン発生装置４２は、外槽７、風路部材３１および誘導フード３３の上方に位置している。
【００６２】
オゾン発生装置４２の内部には、図１２に示すように、実際にオゾンを発生するオゾン基板５１が配置されている。
オゾン基板５１には、前後方向に間隔を隔てて配置される１対の電極（図示せず）が内蔵されており、これらの電極（図示せず）に電源基板（図示せず）から高電圧が印加されると、無声放電が生じ、オゾン基板５１の後側面の周辺の空気内にオゾンが発生する。
【００６３】
導入管４３は、その一端部がオゾン発生装置４２の左端部に接続され、その他端部が風路部材３１の第２風路部材３１２の左側壁、詳しくはファン３２の近傍部分に接続されることにより、オゾン発生装置４２内部と、風路部材３１、つまり乾燥ユニット３を含む上述した循環風路内部とを連通している。導入管４３は、上述した一端部から下方へ緩やかに折れ曲がり、途中で屈曲してさらに下方に延びてから再度屈曲して上述した他端部に至る経路を形成している。そのため、オゾン発生装置４２で発生されたオゾンを含む空気は、導入管４３に沿って下方向きに流れて風路部材３１内に供給される。上述したように、ファン３２が回転駆動しているときには、風路部材３１内は負圧となるので、オゾン発生装置４２から風路部材３１へのオゾンの供給が促進される。
＜ドラム式洗濯機の洗濯運転＞
図１４は、このドラム式洗濯機１の電気的構成を示すブロック図である。
【００６４】
図１４に示すように、このドラム式洗濯機１の運転動作は、マイクロコンピュータを含む実行手段としての制御部４０によって制御される。制御部４０には、ＣＰＵ４１、ＲＯＭ４２、ＲＡＭ４３およびタイマ４４などが備えられている。
制御部４０には、操作表示部６（図１参照）が入出力可能に接続されている。また、制御部４０には、外槽７内の水位を検知するための水位センサ（図示せず）や、外槽７の排気口７１（図４参照）から出た空気の温度を検知するための温度センサ（図示せず）や、外蓋２Ａの開閉を検知するためのドアスイッチ（図示せず）からの信号などがそれぞれ入力されるようになっている。
【００６５】
制御部４０には、上述したモータ１２、ブロワモータ３５、ヒータ３４、水道水給水バルブ２Ｂ（洗剤用バルブ５５、仕上剤用バルブ５６、除湿水バルブ１４）、風呂水ポンプ２Ｄ、排水バルブ１８、外蓋ロック機構４９、およびオゾン発生装置４２が、それぞれ負荷駆動部４８を介して接続されている。
図１５は、このドラム式洗濯機１による所定の洗濯運転を開始させた場合の制御部４０による制御の流れを示すフローチャートである。
（洗い行程）
図１５に示すように、ドラム式洗濯機１の運転が開始されると、制御部４０（図１４参照）は、まず、所定時間（たとえば、６分間）だけ第１洗い行程を行う（ステップＳ１）。第１洗い行程の開始時には、洗剤用バルブ５５（図１４参照）が開かれることにより、または、風呂水ポンプ２Ｄ（図１４参照）が駆動されることにより、給水が行われる。この際、図６に示す洗剤収容部８の粉末洗剤収容部８５に予め投入されている粉末洗剤および液体洗剤収容部８６に予め投入されている液体洗剤が、給水された水に溶け込んで、これらの洗剤が溶け込んだ水が流出口８１Ａから流出して給水トラップ２４および給水ホース１７を介して外槽７内に溜められることとなる。第１洗い行程では、図４に示す外槽７内への給水が完了した後、モータ１２を所定の停止時間を挟んで４５ｒｐｍで交互に正転／反転させる第１間欠制御（たとえば、１０秒オン−３秒オフ）と、モータ１２を所定の停止時間を挟んで３０ｒｐｍで交互に正転／反転させる第２間欠制御（たとえば、１０秒オン−３秒オフ）と、モータ１２を所定の停止時間を挟んで６０ｒｐｍで交互に正転／反転させる第３間欠制御（たとえば、１０秒オン−３秒オフ）とが所定の順序で繰り返し行われる。第１間欠制御では、ドラム１０内の洗濯物がバッフル１０Ｂによって持ち上げられ、ある程度の高さから自然落下するといった動作（いわゆるタンブリング）が繰り返されることにより、たたき洗いが達成される。第２間欠制御では、ドラム１０内の底部にある洗濯物がバッフル１０Ｂによって転がされることにより、もみ洗いが達成される。第３間欠制御では、ドラム１０内の洗濯物がドラム１０の周面壁１０Ｃに張り付いた状態で回転し、洗濯物が外槽７の底部に来たときに外槽７内に貯まった水が洗濯物に吸収され、その洗濯物に吸収された水が遠心力によって洗濯物から抜け出ることにより、洗濯物に含まれる汚れが水とともに洗濯物から除去されるようになっている。第１洗い行程が終了する際には、外槽７内に溜められている水が排水され、ドラム１０内の洗濯物は水と洗剤成分を含んだ状態となる。
【００６６】
第１洗い行程が終了すると、図１５に示すように、制御部４０は、所定時間（たとえば、１４分間）だけ第２洗い行程を行う（ステップＳ２）。この第２洗い行程では、図４に示すように、乾燥ユニット３を用いて外槽７内にスチームを供給して、洗濯物を温めつつドラム１０を回転させる。これにより、洗濯物に含まれる水が温められ、その温められた水を含む洗濯物が、ドラム１０の回転に伴って、他の洗濯物やドラム１０の内面と擦れたり、ドラム１０の内面にたたきつけられたりするようになっている。なお、スチームは、図１３に示すように、除湿水供給口３６から第１風路部材３１１内に供給される冷却水を霧状にしてヒータ３４で加熱蒸発させることによって生成される。第２洗い行程では、外槽７内に給水を行う必要がないので、外槽７内に水を溜めた状態でドラム１０を回転させることにより洗濯を行う場合と比較して、水の使用量を低減できる。
（中間脱水行程）
第２洗い行程が終了すると、図１５に示すように、制御部４０は、中間脱水行程を行う（ステップＳ３）。中間脱水行程では、図４に示すように、ドラム１０が高速（たとえば、３００〜１０００ｒｐｍ）で回転されることにより、ドラム１０内の洗濯物に含まれる水が遠心力により絞り出され、この洗濯物から絞り出された水がドラム１０の通水孔１０Ａを通って外槽７側へ飛散し、排水口１９から排出される。この中間脱水行程により、洗濯物に含まれる水とともに、洗濯物に含まれる洗剤成分も絞り出されることとなる。
（すすぎ行程）
中間脱水行程が終了すると、図１５に示すように、制御部４０は、複数回（たとえば、２回）のすすぎ行程を行う（ステップＳ４）。すすぎ行程の開始時には、風呂水ポンプ２Ｄ（図１４参照）が駆動されることにより給水が行われ、その後に、図４に示すように、外槽７内に所定量の水が溜められた状態でドラム１０が回転されることにより、ドラム１０内の洗濯物がタンブリングされる。また、最後のすすぎ工程では、仕上剤用バルブ５６（図１４参照）が開かれて水道水の給水が行われる。これにより、図６に示す仕上剤収容部８７に予め投入されている柔軟仕上剤が、給水された水に溶け込んで、柔軟仕上剤が溶け込んだ水が流出口８１Ａから流出して外槽７内に供給され、この水によって洗濯物がすすがれる。この最後のすすぎ工程における給水の終了時には、図１０に示す給水トラップ２４の滞留部１００に水が溜められ、出口９２と入口９０との間、つまり外槽７と洗剤収容部８との間が水封される。
【００６７】
このすすぎ行程により、洗濯物に残っている洗剤成分が希釈されることとなる。すすぎ行程が終了する際には、外槽７内に溜められている水が排水される。
（最終脱水行程）
すすぎ行程が終了すると、図１５に示すように、制御部４０は、最終脱水行程を行う（ステップＳ５）。最終脱水行程では、図４に示すように、ドラム１０が高速（たとえば、３００〜１０００ｒｐｍ）で回転されることにより、ドラム１０内の洗濯物に含まれる水が遠心力により絞り出されて排水ホース２０から排水される。なお、この排水の終了時には、図２に示す排水トラップ４５の、上述したＶ字部９５に水が溜められ、溢水管３７と機外との間、つまり外槽７と機外の間が水封される。
（乾燥行程）
最終脱水行程が終了して、洗濯物に含まれる水が十分に絞り出された後、制御部４０は、図１５に示すように、乾燥行程を行う（ステップＳ６）。
【００６８】
乾燥行程では、制御部４０（図１４参照）は、上述したように、また図４に示すように、ヒータ３４で加熱された風を乾燥ユニット３から外槽７内に送りつつ、ドラム１０を回転させることにより、ドラム１０内の洗濯物のタンブリングを行う。これにより、加熱された風にドラム１０内の洗濯物を満遍なく晒して、洗濯物を良好に乾燥させることができる。
【００６９】
乾燥行程では、図１３に示すように、ブロワモータ３５が駆動（たとえば、４５００ｒｐｍ）されるとともに、ヒータ３４（３４Ａおよび３４Ｂ）に通電が行われることにより、ヒータ３４が「強」で駆動される。これにより、乾燥行程中は、ドラム１０内の洗濯物から出る湿気を含んだ空気が、外槽７内から排気口７１（図４参照）および接続管７２（図４参照）を介して風路部材３１内（第１風路部材３１１内）に流入し、ヒータ３４により温められて再び外槽７内（ドラム１０内）に送り込まれることとなる。乾燥行程中は、除湿水バルブ１４（図１４参照）が開かれて除湿水供給口３６から第１風路部材３１１内に冷却水が供給されることにより、第１風路部材３１１内では、湿気を含む空気が冷却水により冷却され、熱交換によって空気に含まれる水分が凝縮する。したがって、第１風路部材３１１内に流入した空気は、第１風路部材３１１内を通過する過程で水分が除去され、その後にヒータ３４により温められて、再び外槽７内（ドラム１０内）に送り込まれる。熱交換によって凝縮した水分は、第１風路部材３１１の内壁面に結露し、この内壁面を伝って流下する。そして、第１風路部材３１１の内壁面を伝って第１風路部材３１１の底部まで流下した水は、冷却水とともに吸込口３０から流れ出て、図４に示すように、接続管７２および排気口７１を介して外槽７内へと流出した後、排水口１９から排水される。
【００７０】
乾燥行程において、加熱されていない空気をドラム１０内に供給することで、乾燥された洗濯物を所定温度まで冷却するいわゆるクールダウン運転が、所定時間行われる。このクールダウン運転中において、図２に示すように、制御部４０（図１４参照）は、オゾン発生装置４２を動作させてオゾンを発生させる。発生されたオゾンは、導入管４３を介して風路部材３１内に流れ込むことにより、上述した循環風路内を流れる風とともに外槽７内（ドラム１０内）に送り込まれ、洗濯物に浴びせられる。これにより、洗濯物に残留している汚れ成分や、臭い成分や、雑菌成分は、供給されるオゾンにより酸化されることで、洗浄され、消臭され、あるいは除菌される。つまり、オゾンによって洗濯物を浄化することができる。なお、オゾンが外槽７内に供給されている間、図１４に示す制御部４０によって、風呂水ポンプ２Ｄの駆動が停止され、水道水給水バルブ２Ｂおよび排水バルブ１８が閉じられている。また、上述したように、最後のすすぎ行程での給水時において給水トラップ２４内部に水が溜められ、給水トラップ２４の入口９０と出口９２との間が水封されている。そのため、オゾンが外槽７内に供給されている間は、このオゾンが給水トラップ２４を介して外部へ漏れ出すことを確実に防止することができる。同様に、最終脱水工程での排水時において排水トラップ４５に水が溜められるので、外槽７内に供給されているオゾンが排水トラップ４５介して外部へ漏れ出すことも防止される。また、オゾンが外槽７内に供給されている間、そして、供給された全てのオゾンが酸化反応により消滅し、オゾンの濃度が人体にとって影響のないレベルにまで低下するまでの間、制御部４０は、図１４に示すように、外蓋ロック機構４９を作動させて、外蓋２Ａ（図１参照）を閉じた状態でロックしている。
（その他）
オゾンは乾燥している洗濯物に浸透しやすいので、乾燥している洗濯物にオゾンを供給すると高い浄化効果を得ることができる。そのため、オゾンによる洗濯物の浄化は、上述した乾燥行程中に限らず、洗い行程の前にも行われる。洗い行程の前に洗濯物のオゾン浄化を行う場合、給水トラップ２４（図２参照）および排水トラップ４５（図２参照）の内部に水が溜められていないことがある。そのため、制御部４０は、外槽７内を空密的な状態にするために、オゾン浄化（供給）を開始する前に、水道水給水バルブ２Ｂおよび排水バルブ１８の開閉を適宜行うことにより、給水トラップ２４の滞留部１００（図１０参照）および排水トラップ４５のＶ字部９５（図２参照）に水を溜める。
【００７１】
給水トラップ２４においては、制御部４０により、仕上剤用バルブ５６を「開」にしている時間を微小時間、たとえば０．１秒にし、「閉」にしている時間をたとえば１０秒にすることによって仕上剤用通水路５２２（図６参照）に僅かの量の水しか給水されないように制御され、この操作が、複数回（たとえば、８回）繰り返される。そのため、１回の操作で給水される水は、図８に示すように、仕上剤用通水路５２２の上側吐水口５３５Ｂの高さより低い位置を流れ、下側吐水口５３５Ａから流出し、仕上剤収容部８７を経由せずに、洗剤容器収容室８１内部を経て、給水トラップ２４に給水される。つまり、仕上剤用バルブ５６からの水は、仕上剤収容部８７を経由しないバイパス給水路を経て給水トラップ２４に給水されて給水トラップ２４の滞留部１００（図１０参照）に溜められる。これにより、給水トラップ２４の入口９０（図１０参照）と出口９２（図１０参照）との間が水封されるので、外槽７へのオゾン供給が開始されても、オゾンが給水トラップ２４を介して外槽７内から外部へ漏れ出すことを確実に防止することができる。しかも、上述した給水操作が複数回（たとえば、８回）繰り返されるため、給水トラップ２４には確実に水を溜めることができる。また、上記バイパス給水路を経て給水されるため、仕上剤を含まない水道水を給水トラップ２４に溜めることができ、仕上剤成分が給水トラップ２４に滞留してしまうことを防止することができる。
【００７２】
排水トラップ４５においては、図１４に示すように、制御部４０により、まず排水バルブ１８が閉じられてから、除湿水バルブ１４が開かれ、図１３に示すように、除湿水供給口３６からの水が吸込口３０から外槽７に溜められる。この際、吸込口３０から外槽７内に供給される水は、図４に示すように、外槽７の周面壁７Ａを伝ってドラム１０の周面壁１０Ｃの最下端部と外槽７の周面壁７Ａとの間に溜められるので、ドラム１０内の洗濯物が濡れる虞はない。このように外槽７内に水が溜められてから、図１４に示すように、制御部４０によって除湿水バルブ１４が閉じられた後に、排水バルブ１８が開かれて、その水が排水口１９を介して排水ホース２０を流れるときに、その水の一部が排水トラップ４５のＶ字部９５（図２参照）に溜められる。そのため、外槽７へのオゾン供給が開始されても、オゾンが排水トラップ４５を介して外槽７内から外部へ漏れ出すことを確実に防止することができる。
【００７３】
なお、オゾン供給は、洗い工程の前および乾燥工程のどちらかで行われても良いし、両方で行われても構わない。オゾン供給時間が長いほど、洗濯物の浄化が促進される。また、このドラム式洗濯機１では、オゾンで洗濯物を浄化する機能により、水に濡らすことができない洗濯物に対応することもできる。
＜変形例＞
この発明は、以上の実施形態の内容に限定されるものではなく、請求項記載の範囲内において種々の変更が可能である。
【００７４】
たとえば、排水トラップ４５（図２参照）の形状を、上述したＶ字状ではなく、給水トラップ２４（図９参照）と同じ形状にしても構わない。その場合、給水トラップ２４と同様の効果を得ることができるので、溢水管３７（図２参照）と排水ホース２０（図４参照）と互いに近付けて配置することや、溢水管３７と排水ホース２０との間の空きスペースの有効利用が可能となる。そして、上述した粉末洗剤の塊と同様に、溢水管３７および排水ホース２０から排水トラップ４５に流れ込んでくる糸屑の塊などの流れ難い物も容易に流出させることができる。つまり、図９に示す給水トラップ２４の構成を有するトラップを用いることで、その入口９０および出口９２にそれぞれ接続される部材（入口側部材および出口側部材）を互いに近付けて配置することができ、このトラップは、入口側部材および出口側部材との間の空きスペースを有効利用して配置することができる。そして、入口９０からトラップ内に流入する水を、粉末洗剤や糸屑の塊などの流れ難い物とともに円滑に出口９２へ流すことができる。このような構成の給水トラップ２４は、洗濯機に限らず、多分野における水周り部品として使用することができる。
【００７５】
また、ドラム１０は、その軸線が左右方向に延びるように配置された構成に限らず、たとえば前後方向に延びるような構成であってもよい。この場合、ドラムの軸線は、略水平方向に延びるような構成に限らず、たとえば水平方向に対して所定角度範囲内（たとえば、３０°程度まで）で傾いていてもよい。また、ドラムの軸線が垂直に延びる構成であってもよい。
【００７６】
また、ドラム式洗濯機１を、外蓋２Ａを筐体２の上壁に設けたいわゆるトップオープンタイプの構成としたが、前壁に設けたいわゆるフロントオープンタイプの構成としてもよい。
上記実施形態では、ドラム式洗濯機の一例として、乾燥機能を備えたドラム式洗濯機１を例にとって説明したが、この発明は、乾燥機能を備えていないドラム式洗濯機や、パルセータを用いた渦巻式の洗濯機にも適用可能である。
【００７７】
また、このオゾン発生装置４２は、洗濯物を洗浄、消臭および除菌するオゾンを発生させたが、これに限らず、例えば、洗濯物に芳香を与える気体を発生させるものであってもよい。
【図面の簡単な説明】
【００７８】
【図１】この発明の一実施形態に係るドラム式洗濯機１の斜視図である。
【図２】ドラム式洗濯機１における要部を抜き出して後側上方かつ右側から見た斜視図である。
【図３】図２に示したドラム式洗濯機１における要部の平面図である。
【図４】ドラム式洗濯機１の縦断面図であって、左右方向に沿った鉛直面で切断したときの断面を前方から見た図を示している。
【図５Ａ】ドラム式洗濯機１の縦断面図であって、前後方向に沿った鉛直面で切断したときの断面を右側から見た図において、外蓋２Ａが開口４を閉じた態様を示している。
【図５Ｂ】図５Ａにおいて、外蓋２Ａが開口４を開いた態様を示している。
【図６】洗剤容器収容室８１に洗剤容器８０を装着した状態での右側断面図である。
【図７】注水ユニット８２を構成する部材の左側斜視図である。
【図８】図６のＡ−Ａ矢視図である。なお、説明の便宜上、円筒部４３１およびキャップ４３２も断面で示している。
【図９】給水トラップ２４を前側上方かつ右側から見た斜視図である。
【図１０】給水トラップ２４を前側上方かつ左側から見た斜視図であって、内部を露出させたものである。
【図１１】給水トラップ２４の配置位置を説明するための、ドラム式洗濯機１の後側面図であって、筐体２の後壁を省略したものである。
【図１２】外槽７、乾燥ユニット３および周辺部品を後側上方かつ右側から見た斜視図である。
【図１３】図１２に示した外槽７、乾燥ユニット３および周辺部品の右側面図である。
【図１４】このドラム式洗濯機１の電気的構成を示すブロック図である。
【図１５】このドラム式洗濯機１による所定の洗濯運転を開始させた場合の制御部４０による制御の流れを示すフローチャートである。
【符号の説明】
【００７９】
１      ドラム式洗濯機
２      筐体
７      外槽
７Ａ    周面壁
８      洗剤収容部
１０    ドラム
１７    給水ホース
２０    排水ホース
２４    給水トラップ
３７    溢水管
４０    制御部
４２    オゾン発生装置
５５    洗剤用バルブ
５６    仕上剤用バルブ
８８    外槽給水口
８９    給水側周面
９０    入口
９１    旋回流路
９２    出口
９３    角部分
【図１】
2007313231.tif 000003
【図２】
2007313231.tif 000004
【図３】
2007313231.tif 000005
【図４】
2007313231.tif 000006
【図５Ａ】
2007313231.tif 000007
【図５Ｂ】
2007313231.tif 000008
【図６】
2007313231.tif 000009
【図７】
2007313231.tif 000010
【図８】
2007313231.tif 000011
【図９】
2007313231.tif 000012
【図１０】
2007313231.tif 000013
【図１１】
2007313231.tif 000014
【図１２】
2007313231.tif 000015
【図１３】
2007313231.tif 000016
【図１４】
2007313231.tif 000017
【図１５】
2007313231.tif 000018